【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
表面欠陥を含む基材の部分を、
乾燥フィルム層；
乾燥フィルム層が上に施された剥離層；
場合によっては、乾燥フィルム層の前記欠陥への接着を助ける剥離層とは反対側の乾燥フィルム層面上の接着層；
及び
乾燥フィルム層と剥離層との間にある再分散性顔料層（これによって、前記再分散性顔料層が剥離層からの乾燥フィルム層の転写を助け且つその後に液状コーティングを被覆する場合に乾燥フィルム層の縁をレリーフする）を含んでなる組成物と接触させ；
乾燥フィルム層に圧力を加えて、乾燥フィルム層を前記欠陥及び少なくとも、前記欠陥に隣接した基材の部分に接着させ；そして
その後に基材並びに乾燥フィルム層及び協働した再分散性顔料層に１層又はそれ以上の液状コーティング層を被覆する
工程を含んでなる被塗装基材上の少なくとも１つの表面欠陥をブロックする方法。
【請求項２】
前記欠陥がステインである請求項１に記載の方法。
【請求項３】
基材の汚染部分への及びステインに隣接した基材の部分への乾燥フィルム層の接着を助ける接着層を乾燥フィルム層に施す請求項１又は２に記載の方法。
【請求項４】
前記基材の実質的に全てに１層又はそれ以上の液状コーティング層を被覆する前記請求項のいずれか１項に記載の方法。
【請求項５】
前記基材が実質的に垂直である前記請求項のいずれか１項に記載の方法。
【請求項６】
前記基材がしっくい壁、塗装壁、ウォールボード、パーティクルボード、木材、木材−複合材料、コンクリート又は壁紙の１種又はそれ以上を含む前記請求項のいずれか１項に記載の方法。
【請求項７】
前記欠陥がインキ、クレヨン、口紅、グリースペンシル、着色マーカー、煙、水又はタンニンのうち１種又はそれ以上によってもたらされる視認可能なマークを含むステインである前記請求項のいずれか１項に記載の方法。
【請求項８】
前記欠陥が親水性のステインである前記請求項のいずれか１項に記載の方法。
【請求項９】
前記欠陥が親油性であり且つ基材の汚染部分への水性コーティング組成物の接着を阻害するであろうステインである請求項１〜７のいずれか１項に記載の方法。
【請求項１０】
前記欠陥が食物残渣を含むステインである前記請求項のいずれか１項に記載の方法。
【請求項１１】
前記欠陥が基材表面に存在するステインである前記請求項のいずれか１項に記載の方法。
【請求項１２】
前記欠陥が基材上に施されたペイント層の表面に存在するステインである前記請求項のいずれか１項に記載の方法。
【請求項１３】
前記欠陥が基材上に施されたペイント層の内部に存在するステインである請求項１〜９のいずれか１項に記載の方法。
【請求項１４】
前記欠陥が染料、共役有機化合物、芳香族色素体又は木の節の１種又はそれ以上を含むステインである前記請求項のいずれか１項に記載の方法。
【請求項１５】
前記欠陥が水又は有機溶剤に可溶であるステインである前記請求項のいずれか１項に記載の方法。
【請求項１６】
前記欠陥が容易には視認できない透明な又は顔料が添加されていない油状又は親油性物質を含むステインである前記請求項のいずれか１項に記載の方法。
【請求項１７】
前記欠陥が鉱油、ペトロラタム又はワックスの１種又はそれ以上を含むステインである前記請求項のいずれか１項に記載の方法。
【請求項１８】
前記欠陥がステインであり且つ前記乾燥フィルム層が、後から適用される１層又はそれ以上の液状コーティング層がステインを溶解させるのを防ぐ前記請求項のいずれか１項に記載の方法。
【請求項１９】
前記欠陥が亀裂又はくぎ穴を含む請求項１〜６のいずれか１項に記載の方法。
【請求項２０】
ローラーによって圧力を加える前記請求項のいずれか１項に記載の方法。
【請求項２１】
スパチュラ又は他のブレードアプリケーターによって圧力を加える請求項１〜１９のいずれか１項に記載の方法。
【請求項２２】
手で圧力を加える請求項１〜１９のいずれか１項に記載の方法。
【請求項２３】
乾燥フィルム層の表面全体に均一に圧力を加える前記請求項のいずれか１項に記載の方法。
【請求項２４】
乾燥フィルム層；
乾燥フィルム層が上に施された剥離層；
場合によっては、乾燥フィルム層の欠陥への接着を助ける剥離層とは反対側の乾燥フィルム層面上の接着層；及び
剥離層からの乾燥フィルム層の転写を助けるように構成され且つその後に液状コーティングを被覆する場合に乾燥フィルム層の縁をレリーフするように構成された、乾燥フィルム層と剥離層との間の再分散性顔料層
を含んでなる基材欠陥ブロック組成物。
【請求項２５】
前記乾燥フィルム層がアクリルポリマー、ウレタンポリマー、エポキシポリマー、炭化水素樹脂、ビニルポリマー、エチレンコポリマー又はスチレンコポリマーの１種又はそれ以上を含む請求項２４に記載のステインブロック組成物。
【請求項２６】
前記乾燥フィルム層が剥離層上に液体ペイントを被覆し且つ前記液体ペイントを乾燥させることによって剥離層上に形成される請求項２４又は２５に記載のステインブロック組成物。
【請求項２７】
前記乾燥フィルム層が、架橋ポリマー又は非架橋ポリマーの１種又はそれ以上を含む請求項２４〜２６のいずれか１項に記載のステインブロック組成物。
【請求項２８】
前記乾燥フィルム層がカチオン性ポリマー、アニオン性ポリマー又は中性ポリマーのうち１種又はそれ以上を含む請求項２４〜２７のいずれか１項に記載のステインブロック組成物。
【請求項２９】
前記乾燥フィルム層が１種又はそれ以上の層を含み、そのそれぞれがカチオン性ポリマー、アニオン性ポリマー又は中性ポリマーを含むことができる請求項２４〜２８のいずれか１項に記載のステインブロック組成物。
【請求項３０】
前記乾燥フィルム層が液体水性ラテックスから形成される請求項２４〜２９のいずれか１項に記載のステインブロック組成物。
【請求項３１】
前記乾燥フィルム層が硬化アルキド樹脂又はポリエステルペイントを含む請求項２４〜２９のいずれか１項に記載のステインブロック組成物。
【請求項３２】
前記乾燥フィルム層が乾燥ペイントを含む請求項２４〜３１のいずれか１項に記載のステインブロック組成物。
【請求項３３】
前記乾燥フィルム層の少なくとも１面に感圧性接着層が被覆されている請求項２４〜３２のいずれか１項に記載のステインブロック組成物。
【請求項３４】
前記乾燥フィルム層が実質的に溶剤を含まない請求項２４〜３３のいずれか１項に記載のステインブロック組成物。
【請求項３５】
前記乾燥フィルム層が実質的に非孔質である請求項２４〜３４のいずれか１項に記載のステインブロック組成物。
【請求項３６】
前記乾燥フィルム層が酸官能基を有するポリマーを含む請求項２４〜３５のいずれか１項に記載のステインブロック組成物。
【請求項３７】
前記乾燥フィルム層が環状尿素官能基、アミン官能基又は第四アンモニウム官能基のうち１種又はそれ以上を有するポリマーを含む請求項２４〜３６のいずれか１項に記載のステインブロック組成物。
【請求項３８】
前記乾燥フィルム層が増粘剤を含む水性コーティングから形成される請求項２４〜３７のいずれか１項に記載のステインブロック組成物。
【請求項３９】
前記乾燥フィルム層が感圧性接着剤である請求項２４〜３８のいずれか１項に記載のステインブロック組成物。
【請求項４０】
前記乾燥フィルム層が少なくとも０．５ｃｍの幅を有する請求項２４〜３９のいずれか１項に記載の組成物。
【請求項４１】
前記乾燥フィルム層が少なくとも２ｃｍの幅を有する請求項２４〜３９のいずれか１項に記載の組成物。
【請求項４２】
前記乾燥フィルム層が０．５ｃｍ〜１ｍの幅を有する請求項２４〜４１のいずれか１項に記載の組成物。
【請求項４３】
前記乾燥フィルム層が４ｃｍ〜７０ｃｍの幅を有する請求項４２に記載の組成物。
【請求項４４】
前記接着層がアクリルポリマー；炭化水素ポリマー；又はウレタンポリマーの１種又はそれ以上を含む請求項２４〜４３のいずれか１項に記載の組成物。
【請求項４５】
前記接着層が−６０℃〜０℃のＴｇを有するポリマーを含む請求項２４〜４４のいずれか１項に記載の組成物。
【請求項４６】
前記接着層が粘着付与剤樹脂を含む請求項２４〜４５のいずれか１項に記載の組成物。
【請求項４７】
前記接着層がスチレン−イソプレンポリマーを含む請求項２４〜４６のいずれか１項に記載の組成物。
【請求項４８】
前記接着層がアクリルラテックスポリマーを含む請求項２４〜４７のいずれか１項に記載の組成物。
【請求項４９】
前記接着層が１〜５０マイクロメーターの厚さを有する請求項２４〜４８のいずれか１項に記載の組成物。
【請求項５０】
前記接着層が１種又はそれ以上の顔料を含む請求項２４〜４９のいずれか１項に記載の組成物。
【請求項５１】
前記再分散性顔料層が１種又はそれ以上の顔料、１種又はそれ以上の分散剤及び、場合によっては、１種又はそれ以上の湿潤剤を含む請求項２４〜５０のいずれか１項に記載の組成物。
【請求項５２】
前記剥離層がシリコーンポリマー、フルオロポリマー、炭化水素ポリマー、紙、グラシン紙、ポリエチレン、ポリプロピレン、ポリエステル又はナイロンの１種又はそれ以上を含む請求項２４〜５１のいずれか１項に記載の組成物。
【請求項５３】
前記乾燥フィルム層が２．５〜５００マイクロメーターの厚さを有する請求項２４〜５２のいずれか１項に記載の組成物。
【請求項５４】
前記乾燥フィルム層が１０〜１５０マイクロメーターの厚さを有する請求項２４〜５３のいずれか１項に記載の組成物。
【請求項５５】
前記乾燥フィルム層が−５０℃〜＋８０℃のＴｇを有するポリマーを含む請求項２４〜５４のいずれか１項に記載の組成物。
【請求項５６】
前記乾燥フィルム層が−２０℃〜＋４０℃のＴｇを有するポリマーを含む請求項２４〜５５のいずれか１項に記載の組成物。
【請求項５７】
前記乾燥フィルム層がスチレン−アクリルラテックスから製造される請求項２４〜５６のいずれか１項に記載の組成物。
【請求項５８】
前記接着層が水性ラテックスから製造される請求項２４〜５７のいずれか１項に記載の組成物。
【請求項５９】
前記乾燥フィルム層が水性ラテックスから製造される請求項２４〜５８のいずれか１項に記載の組成物。
【請求項６０】
前記乾燥フィルム層がアクリルラテックス及び増粘剤から製造され且つ接着層が水性ラテックスから製造される請求項２４〜５９のいずれか１項に記載の組成物。
【請求項６１】
前記乾燥フィルム層がアミン硬化エポキシ樹脂；水性ウレタン；酢酸ビニル−アクリルラテックス；２−エチルヘキシルアクリレート、アクリロニトリル、メタクリル酸及び２−ホスファトエチルメタクリレートの残基を含むラテックス；アクリルラテックス；又はポリ（ビニルアルコール）の１種又はそれ以上から製造される請求項２４〜６０のいずれか１項に記載の組成物。
【請求項６２】
前記乾燥フィルム層が接着性ラテックスから製造される請求項２４〜６１のいずれか１項に記載の組成物。
【請求項６３】
任意的な接着層が環状尿素官能基、アミン官能基及び第四アンモニウム官能基のうち１種又はそれ以上を有するポリマーを含む請求項２４〜６２のいずれか１項に記載のステインブロック組成物。
【請求項６４】
前記乾燥フィルム層が少なくとも１ｃｍの幅を有する請求項２４〜６３のいずれか１項に記載の組成物。
【請求項６５】
前記再分散性層が、後から適用される液状コーティング中に少なくとも一部分溶解できるマトリックス中に分散された少なくとも１種の顔料を含む請求項２４〜６４のいずれか１項に記載の組成物。
【請求項６６】
前記マトリックスが非結合又は非架橋ポリマー又はプレポリマーを含む請求項６５に記載の組成物。